(57)【要約】【課題】  自動調整可能な人工水晶体の提供。【解決手段】  中心光学体の前光学板がストロークシリンダに接続され、後ろ光学板がアウターコアに接続され、アウターコアが更にストロークシリンダに接続され、中心光学体がその内部に被覆され、中心光学体の両端が一本以上のスプリングハプタンでアウターコアに接続されて、人工水晶体が眼球の水晶体嚢内に置かれ、水晶体嚢が不完全である時、アウターコアの上端と下端のスプリングハプタンが眼球の毛様体溝内に埋め込まれて人工水晶体が位置決めされる。使用者は平視から低頭の間の俯角仰角の変化を利用して人工水晶体に作用し移動させる押動力を調整して主動的に人工水晶体を植え込んだ眼球の遠近調節度数を制御でき、或いは外在の磁場を利用して人工水晶体の位置を制御することで眼球の光の屈折度数を制御することができる。【選択図】        図６
2005143886.tif 000002
【特許請求の範囲】
【請求項１】
中心光学体、アウターコア、ストロークシリンダ、前光学板、後ろ光学板、スプリングハプタン及び磁性部品を具えた人工水晶体であり、該中心光学体の前端の前光学板がストロークシリンダに接続され、該中心光学体の後端の後ろ光学板がアウターコアに接続され、アウターコアが更にストロークシリンダに接続され、中心光学体が内部に被覆され、中心光学体の両端が一本以上のスプリングハプタンでアウターコアに接続され、人工水晶体が眼球の水晶体嚢内に置かれ、重力を動力源となして、使用者が平視から低頭に至る間の俯角仰角の角度変化により人工水晶体を移動させる推進力を調節して人工水晶体の位置を制御し、並びに使用者に人工水晶体を埋め込んだ眼球の遠近調節度数を主動的に制御させることを特徴とする、自動調整可能な人工水晶体。
【請求項２】
請求項１記載の自動調整可能な人工水晶体において、人工水晶体のアウターコアの上端と下端に湾曲するハプタンが設けられ、水晶体嚢が不完全な時、二つのハプタンが眼球の毛様体溝内に固定されることにより人工水晶体が位置決めされることを特徴とする、自動調整可能な人工水晶体。
【請求項３】
請求項１記載の自動調整可能な人工水晶体において、人工水晶体の中心光学体の外縁が円柱状に形成され、並びにストロークシリンダと密接に組み合わされ、中心光学体が重力を受けて移動する時に、その移動がストロークシリンダの案内を受けることを特徴とする、自動調整可能な人工水晶体。
【請求項４】
請求項１記載の自動調整可能な人工水晶体において、人工水晶体の一部アウターコアが切除されて開放円弧の設計とされたことを特徴とする、自動調整可能な人工水晶体。
【請求項５】
請求項１記載の自動調整可能な人工水晶体において、人工水晶体のアウターコアが両側が開放された設計とされたことを特徴とする、自動調整可能な人工水晶体。
【請求項６】
請求項１記載の自動調整可能な人工水晶体において、中心光学体とアウターコアが分離された構造とされ、手術中に中心光学体の両端のスプリングハプタンがアウターコアの溝内に位置決めされることを特徴とする、自動調整可能な人工水晶体。
【請求項７】
請求項１記載の自動調整可能な人工水晶体において、中心光学体とストロークシリンダが分離された構造とされ、手術中にストロークシリンダが眼球内に独立して取り付けられることを特徴とする、自動調整可能な人工水晶体。
【請求項８】
請求項１記載の自動調整可能な人工水晶体において、人工水晶体の二つのハプタンが中心光学体と一体成形されたことを特徴とする、自動調整可能な人工水晶体。
【請求項９】
請求項１記載の自動調整可能な人工水晶体において、中心光学体が外界の磁場の力と磁性部品の相互作用により、並びに人工水晶体が同方向磁場の吸引により前に移動するか、或いは反対方向の磁場の相互排斥により後ろに移動するかにより、眼球の屈折度数が調整されることを特徴とする、自動調整可能な人工水晶体。
【請求項１０】
請求項１記載の自動調整可能な人工水晶体において、磁性部品の数量が零、一つ或いはそれ以上とされたことを特徴とする、自動調整可能な人工水晶体。
【請求項１１】
中心光学体、アウターコア、ストロークシリンダ、前光学板、後ろ光学板、スプリングハプタン及び磁性部品を具えた人工水晶体であり、該中心光学体の前端がストロークシリンダとされ、後端の後ろ光学板がアウターコアに接続され、アウターコアがストロークシリンダに接続され、中心光学体が内側に被覆され、中心光学体の両端が一本以上のスプリングハプタンでアウターコアに接続され、人工水晶体が眼球の水晶体嚢内に置かれ、重力を動力源となして、使用者が平視から低頭に至る間の俯角仰角の角度変化により人工水晶体を移動させる推進力を調節して人工水晶体の位置を制御し、並びに使用者に人工水晶体を埋め込んだ眼球の遠近調節度数を主動的に制御させることを特徴とする、自動調整可能な人工水晶体。
【請求項１２】
中心光学体、アウターコア、ストロークシリンダ、前光学板、後ろ光学板、スプリングハプタン及び磁性部品を具えた人工水晶体であり、該中心光学体の上端と下端がアウターコアとされ、後端の後ろ光学板にアウターコアが接続され、中心光学体が内側に被覆され、中心光学体の両端が一本以上のスプリングハプタンでアウターコアに接続され、人工水晶体が眼球の水晶体嚢内に置かれ、重力を動力源となして、使用者が平視から低頭に至る間の俯角仰角の角度変化により人工水晶体を移動させる推進力を調節して人工水晶体の位置を制御し、並びに使用者に人工水晶体を埋め込んだ眼球の遠近調節度数を主動的に制御させることを特徴とする、自動調整可能な人工水晶体。
【請求項１３】
中心光学体、アウターコア、ストロークシリンダ、前光学板、後ろ光学板、スプリングハプタン及び磁性部品を具えた人工水晶体であり、該中心光学体の上端と下端がアウターコアとされ、中心光学体の両端が一本以上のスプリングハプタンでアウターコアに接続され、人工水晶体が眼球の水晶体嚢内に置かれ、重力を動力源となして、使用者が平視から低頭に至る間の俯角仰角の角度変化により人工水晶体を移動させる推進力を調節して人工水晶体の位置を制御し、並びに使用者に人工水晶体を埋め込んだ眼球の遠近調節度数を主動的に制御させることを特徴とする、自動調整可能な人工水晶体。
【発明の詳細な説明】
【技術分野】
【０００１】
本発明は自動調整可能な人工水晶体に係り、特に、主動的に人工水晶体の眼球内位置を調節でき、眼球の全体の光学度数の改変を達成でき、眼球内にインプラントされて光の屈折度数の改変により、自動遠近調整できる自動調整可能な人工水晶体に関する。
【背景技術】
【０００２】
一般に白内障の人は水晶体が老化するため手術により人工水晶体を取り付ける必要があり、その取り付け方法には二種類ある。そのうちの一つは、水晶体嚢（Ｐｏｓｔｅｒｉｏｒ  ｃａｐｓｕｌｅ  ｂａｇ）Ｐ内に取り付ける方法で、もし水晶体嚢Ｐが不完全である時は、毛様体溝（Ｃｉｌｉａｒｙ  ｓｕｌｃｕｓ）Ｃに取り付ける。現在、人工水晶体の大部分はいずれも固定度数とされ、ゆえに患者が明晰な視力を獲得できるかは、患者の手術後の眼球合成度数の焦点距離に制限され、遠くがよくみえれば近くがはっきりせず、近くがはっきりみえれば遠くがはっきりせず、これは人工水晶体が若い人の正常な水晶体のように近くを観るか遠くを観るかにより度数を調節できないことによる。
【０００３】
図１に示されるように、一般に伝統的な人工水晶体１００の中心光学体（ｃｅｎｔｒａｌ  ｏｐｔｉｃ）１０１の外部にはハプタン（ｈａｐｔａｎ）１０２が設けられ、図２のように、該人工水晶体１００が水晶体の水晶体嚢（ｃａｐｓｕｌｅ  ｂａｇ）２００中に取り付けられる時、或いは図３のように水晶体嚢２００が不完全で毛様体溝３００に置かれる時、上述の二種類の状況の前眼房距離（Ａｎｔｅｒｉｏｒ  Ｃｈａｍｂｅｒ  ｄｉｓｔａｎｃｅ；ＡＣＤ）はいずれも固定されて屈折度数を調整することができない。このため、業者は人工水晶体に遠近視力調整の能力を具備させるため、以下のような各種の方法を提供している。
１．多焦点の人工水晶体をインプラントする。該人工水晶体には多くの異なる焦点エリアが設けられている。このような設計は折衷の調整（Ａｃｃｏｍｍｏｄａｔｉｏｎ）方法であり、随意に屈折度数を改変することはできず、視野に影響するあいまいなエリアを有して、光量が低減しうる。この方法には例えば特許文献１〜６がある。
２．絞り（Ａｐｅｒｔｕｒｅ）を使用して視野深さ（ｄｅｐｔｈ  ｏｆ  ｆｉｅｌｄ）を増す。この方法は大幅に光量を減少し、並びに視野を損失し、且つ随意に変調できない。この方法は特許文献３に記載されている。
３．直接或いは間接に毛様体筋（ｃｉｌｉａｒｙ  ｍｕｓｃｌｅ）を駆動する。この設計には多くの問題があり、更なる研究が待たれている。そのうち、最も主要な問題は水晶体と毛様体筋の接続の有効性と安定性である。これには特許文献７〜１６がある。
４．特許文献１７の記載の技術は、人工水晶体の度数を瞳孔（ｐｕｐｉｌ）収縮運動により改変するというものである。また、特許文献１８〜２１には一系列の人工水晶体が記載され、それはマイクロモータ或いは外在磁場により屈折度の微調整を行なうことができるが、遠近調節用に設計されたものではなく、且つその構造は本発明のものと非常に異なる。
【０００４】
【特許文献１】米国特許第４６６６４４６号明細書
【特許文献２】米国特許第４７１０１９３号明細書
【特許文献３】米国特許第４７５９７６２号明細書
【特許文献４】米国特許第５２２５８５８号明細書
【特許文献５】米国特許第５３２６３４８号明細書
【特許文献６】米国特許第５５０７８０６号明細書
【特許文献７】米国特許第４８４２６０１号明細書
【特許文献８】米国特許第４８８８０１２号明細書
【特許文献９】米国特許第４８９２５４３号明細書
【特許文献１０】米国特許第４９３２９６６号明細書
【特許文献１１】米国特許第４９４４０８２号明細書
【特許文献１２】米国特許第５４７６５１４号明細書
【特許文献１３】米国特許第５５７８０８１号明細書
【特許文献１４】米国特許第５６０７４７２号明細書
【特許文献１５】米国特許第５８４３１８８号明細書
【特許文献１６】米国特許第６１９７０５９Ｂ１号明細書
【特許文献１７】米国特許第６２００３４２Ｂ１号明細書
【特許文献１８】米国特許第５１０８４２９号明細書
【特許文献１９】米国特許第５１７１２６６号明細書
【特許文献２０】米国特許第５２０３７８８号明細書
【特許文献２１】米国特許第５８００５３３号明細書
【発明の開示】
【発明が解決しようとする課題】
【０００５】
本発明は人工水晶体を提供し、それは使用者の制御によりその視軸（ｖｉｓｕａｌ  ａｘｉｓ）における位置を改変して毛様体筋の収縮を必要とせず、且つ本発明は眼球内の固定方法が現在広く使用されている固定焦点距離の人工水晶体と非常に似ており、これにより本発明は従来の技術と比較すると非常に多くの長所を具備するものとする。
【０００６】
ゆえに、本発明の主要な目的は、一種の自動調整可能な人工水晶体を提供することにあり、それは、眼球内の位置を随意に調整して眼球の全体の光学度数を改変でき、遠くを観る時は人工水晶体を遠くを観るのに最も適した位置に停留させられ、中距離を観る時は、人工水晶体が前方に移動し、並びに線形に移動変化し、並びに使用者が最も近い距離を観る時は、人工水晶体を最も前端の前止点の位置に停留させることができるものとする。その全体の動力源は重力であり、使用者は平視から低頭の間の俯角仰角角度の変化により人工水晶体を移動させる推進力を調節し、これにより主動的に人工水晶体の位置を制御し、並びに使用者が主動的に人工水晶体を埋め込んだ眼球の遠近調節度数を制御できる。
【課題を解決するための手段】
【０００７】
請求項１の発明は、中心光学体、アウターコア、ストロークシリンダ、前光学板、後ろ光学板、スプリングハプタン及び磁性部品を具えた人工水晶体であり、該中心光学体の前端の前光学板がストロークシリンダに接続され、該中心光学体の後端の後ろ光学板がアウターコアに接続され、アウターコアが更にストロークシリンダに接続され、中心光学体が内部に被覆され、中心光学体の両端が一本以上のスプリングハプタンでアウターコアに接続され、人工水晶体が眼球の水晶体嚢内に置かれ、重力を動力源となして、使用者が平視から低頭に至る間の俯角仰角の角度変化により人工水晶体を移動させる推進力を調節して人工水晶体の位置を制御し、並びに使用者に人工水晶体を埋め込んだ眼球の遠近調節度数を主動的に制御させることを特徴とする、自動調整可能な人工水晶体としている。
請求項２の発明は、請求項１記載の自動調整可能な人工水晶体において、人工水晶体のアウターコアの上端と下端に湾曲するハプタンが設けられ、水晶体嚢が不完全な時、二つのハプタンが眼球の毛様体溝内に固定されることにより人工水晶体が位置決めされることを特徴とする、自動調整可能な人工水晶体としている。
請求項３の発明は、請求項１記載の自動調整可能な人工水晶体において、人工水晶体の中心光学体の外縁が円柱状に形成され、並びにストロークシリンダと密接に組み合わされ、中心光学体が重力を受けて移動する時に、その移動がストロークシリンダの案内を受けることを特徴とする、自動調整可能な人工水晶体としている。
請求項４の発明は、請求項１記載の自動調整可能な人工水晶体において、人工水晶体の一部アウターコアが切除されて開放円弧の設計とされたことを特徴とする、自動調整可能な人工水晶体としている。
請求項５の発明は、請求項１記載の自動調整可能な人工水晶体において、人工水晶体のアウターコアが両側が開放された設計とされたことを特徴とする、自動調整可能な人工水晶体としている。
請求項６の発明は、請求項１記載の自動調整可能な人工水晶体において、中心光学体とアウターコアが分離された構造とされ、手術中に中心光学体の両端のスプリングハプタンがアウターコアの溝内に位置決めされることを特徴とする、自動調整可能な人工水晶体としている。
請求項７の発明は、請求項１記載の自動調整可能な人工水晶体において、中心光学体とストロークシリンダが分離された構造とされ、手術中にストロークシリンダが眼球内に独立して取り付けられることを特徴とする、自動調整可能な人工水晶体としている。
請求項８の発明は、請求項１記載の自動調整可能な人工水晶体において、人工水晶体の二つのハプタンが中心光学体と一体成形されたことを特徴とする、自動調整可能な人工水晶体としている。
請求項９の発明は、請求項１記載の自動調整可能な人工水晶体において、中心光学体が外界の磁場の力と磁性部品の相互作用により、並びに人工水晶体が同方向磁場の吸引により前に移動するか、或いは反対方向の磁場の相互排斥により後ろに移動するかにより、眼球の屈折度数が調整されることを特徴とする、自動調整可能な人工水晶体としている。
請求項１０の発明は、請求項１記載の自動調整可能な人工水晶体において、磁性部品の数量が零、一つ或いはそれ以上とされたことを特徴とする、自動調整可能な人工水晶体としている。
請求項１１の発明は、中心光学体、アウターコア、ストロークシリンダ、前光学板、後ろ光学板、スプリングハプタン及び磁性部品を具えた人工水晶体であり、該中心光学体の前端がストロークシリンダとされ、後端の後ろ光学板がアウターコアに接続され、アウターコアがストロークシリンダに接続され、中心光学体が内側に被覆され、中心光学体の両端が一本以上のスプリングハプタンでアウターコアに接続され、人工水晶体が眼球の水晶体嚢内に置かれ、重力を動力源となして、使用者が平視から低頭に至る間の俯角仰角の角度変化により人工水晶体を移動させる推進力を調節して人工水晶体の位置を制御し、並びに使用者に人工水晶体を埋め込んだ眼球の遠近調節度数を主動的に制御させることを特徴とする、自動調整可能な人工水晶体としている。
請求項１２の発明は、中心光学体、アウターコア、ストロークシリンダ、前光学板、後ろ光学板、スプリングハプタン及び磁性部品を具えた人工水晶体であり、該中心光学体の上端と下端がアウターコアとされ、後端の後ろ光学板にアウターコアが接続され、中心光学体が内側に被覆され、中心光学体の両端が一本以上のスプリングハプタンでアウターコアに接続され、人工水晶体が眼球の水晶体嚢内に置かれ、重力を動力源となして、使用者が平視から低頭に至る間の俯角仰角の角度変化により人工水晶体を移動させる推進力を調節して人工水晶体の位置を制御し、並びに使用者に人工水晶体を埋め込んだ眼球の遠近調節度数を主動的に制御させることを特徴とする、自動調整可能な人工水晶体としている。
請求項１３の発明は、中心光学体、アウターコア、ストロークシリンダ、前光学板、後ろ光学板、スプリングハプタン及び磁性部品を具えた人工水晶体であり、該中心光学体の上端と下端がアウターコアとされ、中心光学体の両端が一本以上のスプリングハプタンでアウターコアに接続され、人工水晶体が眼球の水晶体嚢内に置かれ、重力を動力源となして、使用者が平視から低頭に至る間の俯角仰角の角度変化により人工水晶体を移動させる推進力を調節して人工水晶体の位置を制御し、並びに使用者に人工水晶体を埋め込んだ眼球の遠近調節度数を主動的に制御させることを特徴とする、自動調整可能な人工水晶体としている。
【発明の効果】
【０００８】
本発明の自動調整可能な人工水晶体は、眼球内の位置を随意に調整して眼球の全体の光学度数を改変でき、遠くを観る時は人工水晶体を遠くを観るのに最も適した位置に停留させられ、中距離を観る時は、人工水晶体が前方に移動し、並びに線形に移動変化し、並びに使用者が最も近い距離を観る時は、人工水晶体を最も前端の前止点の位置に停留させることができるものとする。その全体の動力源は重力であり、使用者は平視から低頭の間の俯角仰角角度の変化により人工水晶体を移動させる推進力を調節し、これにより主動的に人工水晶体の位置を制御し、並びに使用者が主動的に人工水晶体を埋め込んだ眼球の遠近調節度数を制御できる。
【発明を実施するための最良の形態】
【０００９】
図４及び図５に示されるように、本発明の人工水晶体は中心光学体（ｃｅｎｔｒａｌ
ｏｐｔｉｃ）１、アウターコア（ｏｕｔｅｒ  ｃｏｒｅ）２、ストロークシリンダ（ｓｔｒｏｋｅ  ｓｙｌｉｎｄｅｒ）３、前光学板（ａｎｔｅｒｉｏｒ  ｏｐｔｉｃ）４、後ろ光学板（ｐｏｓｔｅｒｉｏｒ  ｏｐｔｉｃ）５、スプリングハプタン（ｓｐｒｉｎｇ  ｈａｐｔａｎ）６、磁性部品（ｍａｇｎｅｔｉｃ  ｈｅａｖｙ  ｐａｒｔ）７、及び二つのハプタン（ｈａｐｔａｎ）８が組み合わされてなる。そのうち、中心光学体１の前端は前光学板４、後端は後ろ光学板５とされ、後ろ光学板５にアウターコア２が接続され、アウターコア２にストロークシリンダ３が接続され、ストロークシリンダ３に更に前光学板４が接続されて中心光学体１を内側に被覆し、磁性部品７が中心光学体１内に位置し、中心光学体１の両端が１本以上のスプリングハプタン６でアウターコア２に接続され、アウターコア２の外側の上端と下端に湾曲するハプタン８がある。
【００１０】
図６に示されるように、患者の眼球内の水晶体嚢（ｐｏｓｔｅｒｉｏｒ  ｃａｐｓｕｌｅ  ｂａｇ）１０が完全である時、本発明の人工水晶体の二つのハプタン８は内縮して水晶体嚢１０内に収容される。図７に示されるように、患者の眼球内の水晶体嚢１０が不完全である時、人工水晶体は毛様体溝（ｓｉｌｉａｒｙ  ｓｕｌｃｕｓ）２０内に置かれなければならず、人工水晶体の二つのハプタン８により毛様体筋溝２０内に支持されて位置決めされる。
【００１１】
図８に示されるように、患者が本発明の人工水晶体で遠くを観る（ｆａｒ  ｓｅｅｉｎｇ）時、水晶体から前眼房までの距離ＡＣＤ１は最大となり、水晶体は遠くを観るのに最も適した位置に停留する。図９に示されるように、中距離を観る（Ｌｏｏｋ  ａｔ  ｇｒｏｕｎｄ）時、人工水晶体の中心光学体は重力Ｇの分力Ｆ１、Ｆ２の作用を受けて自動的に前に移動し（図１０）、並びに線形変化移動し、その前眼房距離ＡＣＤ２はＡＣＤ１より小さくなる。図１１に示されるように、最も近い距離を観る（ｒｅａｄｉｎｇ  ｂｏｏｋ）時、人工水晶体の中心光学体は自動的に前光学板４の最も前端の前止点位置に停留するよう調整され、その前眼房距離ＡＣＤ３は最も小さくなる。即ち、ＡＣＤ１＞ＡＣＤ２＞ＡＣＤ３となる。
【００１２】
本発明の人工水晶体の動力源は重力であり、使用者は平視から低頭の間の俯角仰角角度の変化により人工水晶体を移動させる推進力を調節し、これにより主動的に人工水晶体の位置を制御し、並びに使用者が主動的に人工水晶体を埋め込んだ眼球の遠近調節度数を制御できる。
【００１３】
図１２の実施例を参照されたい。本発明の人工水晶体、中心光学体１’は１本或いは複数のスプリングハプタン６’でアウターコア２に固定され、そのうち、中心光学体１’の外縁は円柱状に製作され、それはシリンダとピストンのようにストロークシリンダ３’に沿ってスライドし、中心光学体１が重力により移動する時、ストロークシリンダ３’内壁の案内（ｇｕｉｄｅ）を受ける。
【００１４】
図１３から図１７は本発明の別の実施例を示す。図１３の人工水晶体には前光学板の設計がない。図１４の人工水晶体にはストロークシリンダの設計がない。図１５の人工水晶体には後ろ光学板の設計がない。図１６の人工水晶体はアウターコア部分が切除されて開放円弧の設計とされている。図１７の人工水晶体はアウターコアが両側が開放された設計とされている。
【００１５】
図１８はまた別の実施例であり、その中心光学体１”とアウターコア２”は分離した構造とされ、手術中に中心光学体１”両端のスプリングハプタン６”がアウターコア２”の溝２１”に挿入され位置決めされる。
【００１６】
図１９及び図２０は本発明の更に別の実施例の正面及び側面を示し、本発明の人工水晶体の二つのハプタン８”は中心光学体１”と一体射出成形されて製造と取り付けに便利とされている。
【００１７】
さらに、本発明は人工水晶体のストロークシリンダ３”を分離した設計を採用可能で（図２１）、それは手術時に取り付けるのに便利であり、この場合、まず、中心光学体１、アウターコア２、及びハプタン８を組み合わせて水晶体嚢内に取り付け、さらに独立したストロークシリンダ３”を水晶体嚢に取り付ける。
【００１８】
本発明は別にある状況下で人工水晶体の位置を調整し並びに重力の方向に抵抗するように調整しなければならない時に、外在の磁性源を利用して重力に抵抗し並びに人工水晶体を駆動して必要な位置に位置決めすることができる。図２２及び図２４に示されるように、頭を上げて近くのものを観る時、眼鏡フレーム３０の磁石３２が形成する軸３１と人工水晶体４０上の磁性部品７の相互作用を利用し、人工水晶体４０に同方向磁場吸引を受けさせて前に移動させるか、或いは反対方向の磁場の相互排斥により後ろに移動させる。また図２３に示されるように、頭を下げて遠くを観る時、眼鏡フレーム３０の磁石３２を具えた軸３１と人工水晶体４０の磁性部品７の発生する同方向相互排斥、異方向相互吸引の原理を利用し、外在磁場の強度及び方向を利用し、人工水晶体の位置を制御し、これにより特殊な屈折度数を達成することができる。
【００１９】
総合すると、本発明の自動調整可能な人工水晶体は、平視から低頭の間の俯角仰角角度の変化或いは外在磁力変化を利用し、人工水晶体に作用し移動させる推進力を調整し、これにより使用者が主動的に人工水晶体を植え込んだ眼球の遠近調節度数を制御し（一般に人工水晶体が１ｍｍ前進すると約２．０の屈折度の近視度数が得られる）、その実用効果は明らかであり、また本発明の構造は周知の技術にはなく、新規性を有している。
【図面の簡単な説明】
【００２０】
【図１】周知の人工水晶体の平面図である。
【図２】周知の人工水晶体を眼球の水晶体嚢に取り付けた側面断面図である。
【図３】周知の人工水晶体を眼球の毛様体溝に取り付けた側面断面図である。
【図４】本発明の正面図である。
【図５】本発明の側面断面図である。
【図６】本発明を眼球内に埋め込んだ断面図である。
【図７】本発明を眼球内に埋め込んだもう一つの断面図である。
【図８】本発明の遠くを観る時の表示図である。
【図９】本発明の中距離を観る時の表示図である。
【図１０】本発明の中距離を観る時の中心光学体が重力分力作用を受ける状態表示図である。
【図１１】本発明の近くを観る時の表示図である。
【図１２】本発明の実施例図である。
【図１３】本発明の実施例図である。
【図１４】本発明の実施例図である。
【図１５】本発明の実施例図である。
【図１６】本発明の実施例図である。
【図１７】本発明の実施例図である。
【図１８】本発明の実施例図である。
【図１９】本発明の実施例図である。
【図２０】本発明の実施例図である。
【図２１】本発明の実施例図である。
【図２２】本発明の別の実施例図である。
【図２３】本発明の別の実施例図である。
【図２４】本発明の別の実施例図である。
【符号の説明】
【００２１】
１、１’、１”  中心光学体
２、２”  アウターコア
２１”  溝
３、３’  ストロークシリンダ
４  前光学板
５  後ろ光学板
６、６’、６”  スプリングハプタン
７  磁性部品
８、８”  ハプタン
１０  水晶体嚢
３０  眼鏡フレーム
３１  軸
３２  磁石
４０  人工水晶体
１００  人工水晶体
１０１  中心光学体
１０２  ハプタン
２００  水晶体嚢
３００  毛様体溝
Ｐ  水晶体嚢
Ｃ  毛様体溝
Ｇ  重力
Ｆ１、Ｆ２  分力
ＡＣＤ  前眼房距離
【図１】
2005143886.tif 000003
【図２】
2005143886.tif 000004
【図３】
2005143886.tif 000005
【図４】
2005143886.tif 000006
【図５】
2005143886.tif 000007
【図６】
2005143886.tif 000008
【図７】
2005143886.tif 000009
【図８】
2005143886.tif 000010
【図９】
2005143886.tif 000011
【図１０】
2005143886.tif 000012
【図１１】
2005143886.tif 000013
【図１２】
2005143886.tif 000014
【図１３】
2005143886.tif 000015
【図１４】
2005143886.tif 000016
【図１５】
2005143886.tif 000017
【図１６】
2005143886.tif 000018
【図１７】
2005143886.tif 000019
【図１８】
2005143886.tif 000020
【図１９】
2005143886.tif 000021
【図２０】
2005143886.tif 000022
【図２１】
2005143886.tif 000023
【図２２】
2005143886.tif 000024
【図２３】
2005143886.tif 000025
【図２４】
2005143886.tif 000026